(57)【要約】【課題】組品図面作成の省力化をはかること。【解決手段】複数の部品や組品からなる製品の組品図面を作成する組品図面作成装置であって、組品図面の種類と、該組品図面ごとの対象部品リストと投影図の配置と図面記載要件を定義するテンプレートとを記憶する図面種類記憶部と、機種ごとに構成する部品と組品を階層構造でレベル順に表す部品リストと、前記部品と組品の３次元データとを記憶する製品データ記憶部と、前記図面種類記憶部と製品データ記憶部のデータに基づいて、機種と図面種類を指定することにより、アセンブリデータを自動的に選択して所望の組品図面を作成する図面作成部とを備えたことを特徴とする。【選択図】  図１
2004355252.tif 000002
【特許請求の範囲】
【請求項１】
複数の部品や組品からなる製品の組品図面を作成する組品図面作成装置であって、
組品図面の種類と、該組品図面ごとの対象部品リストと投影図の配置と図面記載要件を定義するテンプレートとを記憶する図面種類記憶部と、
機種ごとに構成する部品と組品を階層構造でレベル順に表す部品リストと、前記部品と組品の３次元データとを記憶する製品データ記憶部と、
前記図面種類記憶部と製品データ記憶部のデータに基づいて、機種と図面種類を指定することにより、アセンブリデータを自動的に選択して所望の組品図面を作成する図面作成部とを備えたことを特徴とする組品図面作成装置。
【請求項２】
図面作成部は、前記部品リストから所望の組品図面の対象部品を選択して、該対象部品の中からレベルが一致したアセンブリデータを採用することにより組品図面を作成することを特徴とする請求項１記載の組品図面作成装置。
【請求項３】
複数の部品や組品からなる製品の組品図面を作成する組品図面作成方法であって、
組品図面の種類と、該組品図面ごとの対象部品リストと投影図の配置と図面記載要件を定義するテンプレートとを記憶する工程と、
機種ごとに構成する部品と組品を階層構造でレベル順に表す部品リストと、前記部品と組品の３次元データとを記憶する工程と、
機種と図面種類を指定することにより、アセンブリデータを自動的に選択して所望の組品図面を作成する工程とを備えたことを特徴とする組品図面作成方法。
【請求項４】
複数の部品や組品からなる製品の組品図面を作成するコンピュータ読取可能な組品図面作成プログラムであって、
組品図面の種類と、該組品図面ごとの対象部品リストと投影図の配置と図面記載要件を定義するテンプレートとを記憶する工程と、
機種ごとに構成する部品と組品を階層構造でレベル順に表す部品リストと、前記部品と組品の３次元データとを記憶する工程と、
機種と図面種類を指定することにより、アセンブリデータを自動的に選択して所望の組品図面を作成する工程とを備えたことを特徴とする組品図面作成プログラム。
【請求項５】
請求項４に記載の組品図面作成プログラムを記録したコンピュータ読取可能な記録媒体。
【発明の詳細な説明】
【０００１】
【発明の属する技術分野】
本発明は、ＣＡＤを用いて複数の部品や組品から成る製品の組品図面を作成する組品図面作成装置、組品図面作成方法、組品図面作成プログラム及び組品図面作成プログラムを記録した記録媒体に関する。
【０００２】
【従来の技術】
一般的に３次元ＣＡＤシステムの製図機能での図面作成は、図面の対象となる単一の部品、あるいは複数の部品からなるアセンブリを準備して、その部品あるいはアセンブリの投影図を図面領域に配置していくことで作成する。
よって、組品図面の作成では、図面の対象となる複数の部品を含んだアセンブリを準備して、必要であればそのアセンブリで図面の対象外の部品を表示上消去する設定をして、その投影図を図面領域に配置していくという手順となる。
【０００３】
組品図面の目的は、その組品図面に記載された部品群単位での製品情報の管理であり、複数の部品に関係する指示図面や組品単位で納品されるユニットや半完成品の図面がある。作業指図書等の資料作成は、これらの組品図面を基に行われる。また、組品単位で納品されるユニットや半完成品の図面であれば、その見積りや、これらの出荷前の出荷検査、納入時の受入検査等で使用される。
【０００４】
また、３次元形状の形状特徴に基づいて３次元形状を投影する平面の基礎となる座標方向を生成し、生成した座標方向に基づく平面にこの３次元形状を投影して２次元の図面を生成する図面作成装置もある。この技術によれば、組品図面の対象となる複数の部品の３次元形状を対象品データとし、その対象品データの形状特徴に基づいて２次元の図面を生成する（例えば、特許文献１参照）。
【０００５】
【特許文献１】
ＷＯ９７／１３２２１号公報（Ｐ９〜１１  図１、３、５、６、７、８）
【０００６】
【発明が解決しようとする課題】
３次元ＣＡＤシステムで組品図面を作成するにあたり、まず図面の対象となる部品群のみが表現されたアセンブリを準備する必要がある。製品組品あるいは製品の一部の組品で、それに含まれる部品群が図面の対象となる部品群と同一のものである組品があれば、その製品組品あるいは製品の一部を構成する組品のアセンブリを使えばよいが、両者の部品群が同一のものであることを確認するには、そのアセンブリを３次元ＣＡＤシステム上に呼び出して、一つひとつ確認しなければならない。製品組品あるいは製品の一部の組品で、それに含まれる部品群が図面の対象となる部品群と同一のものである組品がない場合は、図面の対象となる部品群の製品全体の組品としての位置関係を保ったアセンブリを新たに作成するか、若しくは既にある図面の対象となる部品を含んだアセンブリで３次元ＣＡＤシステムの機能を使って、図面の対象となる部品群以外を表示上消去する設定を行っていた。
【０００７】
しかし、前者のアセンブリを新たに作成する場合では、図面の対象となる部品一つ一つに対して、製品全体の組品での位置を確認しそれと同じ位置関係となるよう新たに作成するアセンブリ内での位置を決定していくという作業が発生し、この作業には時間と手間を要していた。図面の対象となる部品数が多い場合は尚更である。
【０００８】
また、後者の３次元ＣＡＤシステムの機能を使って、図面の対象となる部品群以外を表示上消去する設定を行う場合では、まず図面の対象となる部品を含んだアセンブリを探すことになるが、探す方法が作業者の記憶を基に見当をつけたアセンブリを３次元ＣＡＤシステム上に呼び出して、そのアセンブリに図面の対象となる部品がすべて含まれているか確認するという効率の悪いものであった。図面の対象となる部品を含んだアセンブリが見つかれば、次にそのアセンブリで図面の対象となる部品群以外を表示上消去する設定を行うが、図面の対象となる部品をアセンブリに含まれるすべての部品の中から一つ一つ選択していかなければならず、この作業は時間と手間を要するだけでなく、人が行うため間違いが生じる可能性もある。
【０００９】
アセンブリが準備できた後で、その投影図を配置し必要な図面枠、公差表、記事等を作成するのにもまた時間と手間を要していた。
特許文献１の図面作成装置では、組品図面の対象部品の指定を行えばその３次元形状の形状特徴から投影方向が決まり、組品図面が作成されるが、形状特徴から決定された投影方向が組品図面として必ずしもふさわしいとは限らず、また、対象部品の指定も人が行うため、時間と手間を要するものとなっている。
【００１０】
製品設計に必要な組品図面は幾種類かあるが、どの部品群をどの投影方向で表現するかは略決まっており、図面に表記する図面枠、公差表、記事等もほとんど同じである。それにも係らず、現状では新しい機種を設計するたびに前述のような組品図面を作成する作業が発生していた。
【００１１】
この発明は、製品設計に必要な組品図面の図面種類のデータベース化と、図面の対象となる部品群のみが表示されたアセンブリを作成できる仕組みを盛り込んだ製品データベースの構築により、組品図面作成の省力化を目的とする。
【００１２】
【課題を解決するための手段】
この発明は、複数の部品や組品からなる製品の組品図面を作成する組品図面作成装置であって、組品図面の種類と、該組品図面ごとの対象部品リストと投影図の配置と図面記載要件を定義するテンプレートとを記憶する図面種類記憶部と、機種ごとに構成する部品と組品を階層構造でレベル順に表す部品リストと、前記部品と組品の３次元データとを記憶する製品データ記憶部と、前記図面種類記憶部と製品データ記憶部のデータに基づいて、機種と図面種類を指定することで、アセンブリデータを自動で選択して所望の組品図面を作成する図面作成部とを備えたことを特徴とする組品図面作成装置を提供するものである。
【００１３】
図面作成部は、前記部品リストから所望の組品図面の対象部品を選択して、該対象部品の中からレベルが一致したアセンブリデータを採用することで組品図面を作成してもよい。
【００１４】
この発明は、別の観点から複数の部品や組品からなる製品の組品図面を作成する組品図面作成方法であって、組品図面の種類と、該組品図面ごとの対象部品リストと投影図の配置と図面記載要件を定義するテンプレートとを記憶する工程と、機種ごとに構成する部品と組品を階層構造でレベル順に表す部品リストと、前記部品と組品の３次元データとを記憶する工程と、機種と図面種類を指定することにより、アセンブリデータを自動で選択して所望の組品図面を作成する工程とを備えたことを特徴とする組品図面作成方法を提供するものである。
【００１５】
また、この発明は、複数の部品や組品からなる製品の組品図面を作成するコンピュータ読取可能な組品図面作成プログラムであって、組品図面の種類と、該組品図面ごとの対象部品リストと投影図の配置と図面記載要件を定義するテンプレートとを記憶する工程と、機種ごとに構成する部品と組品を階層構造でレベル順に表す部品リストと、前記部品と組品の３次元データとを記憶する工程と、機種と図面種類を指定することにより、アセンブリデータを自動で選択して所望の組品図面を作成する工程とを備えたことを特徴とする組品図面作成プログラムを提供するものである。
【００１６】
また、この発明は、前記の組品図面作成プログラムを記録したコンピュータ読取可能な記録媒体を提供するものである。
【００１７】
【発明の実施の形態】
以下、図面に示す実施形態を用いてこの発明を詳述する。これによってこの発明が限定されるものではない。
図１にこの発明の組品図面作成装置の構成図を示す。
同図に示すように組品図面作成装置１００は、図面種類記憶部１１０、図面作成条件入力部１２０、製品データ記憶部１３０、図面自動作成部１４０から構成される。また、装置１００は、図示していないが、表示部と出力部を備える。図面自動作成部１４０が行う図面作成は３次元ＣＡＤシステム上で実現される。
【００１８】
図面種類記憶部１１０は、製品設計に必要な組品図面の種類が定義された図面種類データベース１１１と、図面種類データベース１１１に登録されているそれぞれの図面種類に対応した図面に表現する投影図の方向と場所を規定し、図面枠、公差表、記事等、組品図面に必要なものを作成した３次元ＣＡＤシステムの図面テンプレート１１２とを格納する。
【００１９】
図面作成条件入力部１２０は、図面種類データベース１１１に登録されている図面種類をリストアップして表示する図面種類表示手段１２１と、表示された図面種類から作成する図面種類をユーザが指定する図面種類選択手段１２２と、後述の製品データベース１３１に登録されている機種をリストアップして表示する機種表示手段１２３と、表示された機種から作成対象とする機種をユーザが指定する機種選択手段１２４を備える。
【００２０】
製品データ記憶部１３０は、製品設計のために３次元ＣＡＤシステムで作成された３次元製品データ１３２の情報が定義された製品データベース１３１と、製品データベース１３１に登録されているそれぞれの製品データに対応した３次元ＣＡＤシステムで作成された３次元製品データ１３２を格納する。
【００２１】
図面自動作成部１４０は、アセンブリ作成手段１４１と組品図面作成手段１４２を備える。アセンブリ作成手段１４１は、図面種類選択手段１２２によって指定された図面種類の対象部品リストを図面種類データベース１１１から入手し、製品データベース１３１を使ってそれらの対象部品が含まれるアセンブリデータで機種選択手段１２４によって指定された機種のものを探し出す。続いて、３次元製品データ１３２からそのアセンブリデータを３次元ＣＡＤシステム上に呼び出し対象部品以外のものを表示上消去する設定を行う。ここで部品を表示上消去するという機能は、アセンブリ内の位置関係等の部品情報は残したままその部品を画面から見えなくするということで、一般的な３次元ＣＡＤシステムに備えられている機能である。組品図面作成手段１４２は、図面種類選択手段１２２によって指定された図面種類の図面テンプレート１１２を使ってアセンブリ作成手段１４１によって準備されたアセンブリの組品図面を作成する。
【００２２】
図面種類データベース１１１と製品データベース１３１によって、アセンブリ作成手段１４１が指定された機種と図面種類用のアセンブリを自動で作成するため、ユーザは機種と図面種類の指定を行うだけの作業で、組品図面作成に必要なアセンブリの作成が短時間で自動的に行われる。また、組品図面作成手段１４２が、指定された図面種類用の投影図の配置情報、図面枠、公差表、記事等の情報が予め設定された図面テンプレート１１２を使って組品図面を作成するため、ユーザは投影図の配置、図面枠、公差表、記事等の作成を行う必要がなくなる。
【００２３】
図２に電子レンジについて図面種類データベース１１１のデータ構造の例を示す。図面種類データベース１１１は、図面名、図面テンプレート名、対象部品リストを持つ。図面名は製品設計に必要な組品図面の名前で、この図面名によりユーザは作成する図面種類を指定するため、データベース中のデータで同じ名前のものは他に存在しない。図面テンプレート名はその図面を作成するのに使用する３次元ＣＡＤシステムの図面テンプレート１１２の名前である。対象部品リストは、その図面に表現する部品のリストであり、３次元製品データ１３２の部品ファイル名の機種名を除く部分と同一の名称で記述されている。例えば、図５において３次元製品データ１３２のドア部品のファイル名は、機種ｒｅ１のドア部品ならばｄｏｏｒ＿ｒｅ１、機種ｒｅ２のドア部品ならばｄｏｏｒ＿ｒｅ２となっている。したがって、対象部品リストでドア部品を示すにはｄｏｏｒと記述される。同様にハンドル部品を示すにはｈａｎｄｌｅ、コントロールパネル部品を示すにはｃｏｎｐｎｌ、ボタン部品を示すにはｂｕｔｔｏｎと記述される。
【００２４】
図２の図面種類データベース１１１のデータ内容について説明すると、データ２００のドア組品図面は、この図面を作成するのに使用する図面テンプレート名はｄｏｏｒであり、図面に表現する部品はドア部品とハンドル部品であることが定義されている。データ２０１のドアコンパネ組品図面は、この図面を作成するのに使用する図面テンプレート名はｄｏｏｒ−ｃｏｎｐｎｌであり、図面に表現する部品はドア部品とハンドル部品とコントロールパネル部品であることが定義されている。データ２０２のコンパネ組品図面は、この図面を作成するのに使用する図面テンプレート名はｃｏｎｐｎｌであり、図面に表現する部品はコントロールパネル部品とボタン部品であることが定義されている。
【００２５】
図３に図面テンプレート１１２に登録されている３次元ＣＡＤシステムの図面テンプレートの例を示す。図面テンプレート１１２には、図面種類データベース１１１に登録されている組品図面を作成する際に使用する図面テンプレートが登録されている。図面テンプレート１１２に定義されている内容は、図面に表現する投影図の方向と場所及び図面枠、公差表、記事等である。
【００２６】
図９に電子レンジの機種ｒｅ１の製品を構成する組品と部品の分解図を示す。製品組品は、キャビネット部品、プレート部品、コントロールパネル組品、ドア組品で構成されている。コントロールパネル組品はコントロールパネル部品、ボタン部品で構成されており、ドア組品はドア部品、ハンドル組品で構成されている。更にハンドル組品はハンドル部品と２つのハンドルベース部品で構成されている。
【００２７】
図５は３次元製品データ１３２のデータ構造の一例である。図５の４００に示すように、３次元製品データ１３２はこの製品組品と同じ構成で作成されている。製品組品にあたるものは全体アセンブリであり、このアセンブリデータファイル名は製品機種名とする。例えば機種ｒｅ１の全体アセンブリであれば、アセンブリデータファイル名はｒｅ１となる。製品の一部の組品にあたるものはサブアセンブリであり、このサブアセンブリデータファイル名は、製品の一部の組品名称を示す名前と製品機種名を連ねたものとする。また、部品データファイル名は部品名称を示す名前と製品機種名を連ねたものとする。例えば、キャビネット部品はその部品名称を示す名前をｃａｂｉｎｅｔとし、機種ｒｅ１のキャビネット部品の部品データファイル名はｃａｂｉｎｅｔ＿ｒｅ１となる。
【００２８】
図４に示すように、製品データベース１３１は上記３次元製品データ１３２の全体アセンブリデータ、サブアセンブリデータ、部品データの情報を登録したものである。製品データベース１３１はデータファイル名、レベル、区別、親アセンブリ名を持つ。データファイル名は、３次元製品データ１３２のデータファイル名である。レベルは、３次元製品データの階層構造における階層の段階を表しており、製品全体のアセンブリがレベル０、レベル０の直接の子となっているサブアセンブリまたは部品がレベル１、以下、下階層のレベル２以降についても同様に定義する。区別は、アセンブリか部品かの区別で、Ａがアセンブリ、Ｐが部品を示している。親アセンブリ名はその部品またはアセンブリの直接の親であるアセンブリのデータファイル名である。
【００２９】
図６はこの発明の実施形態による処理のフローチャートを示す。図６を用いて、電子レンジを例に組品図面作成手順を説明する。
図面種類表示手段１２１が図面種類データベース１１１に登録されている「図面名」を作成可能な図面種類として表示する（ステップＳ４０１）。図２の図面種類データベース１１１の例では「ドア組品図面」、「ドアコンパネ組品図面」、「コンパネ組品図面」が図示しない表示部に図１０のように表示される。
ユーザは表示された図面名の中から図面種類選択手段１２２によって作成したい図面種類を指定する（ステップＳ４０２）。
【００３０】
続いて、機種表示手段１２３が製品データベース１３１に登録されている「データファイル名」のうち「レベル」が０のもの、即ち製品全体のアセンブリを図面作成可能な機種として表示する（ステップＳ４０３）。図４の製品データベース１３１の例では「ｒｅ１」、「ｒｅ２」が図示しない表示部に図１１のように表示される。
【００３１】
ユーザは表示された機種名の中から機種選択手段１２４によって図面作成したい機種を指定する（ステップＳ４０４）。
アセンブリ作成手段１４１は、図面種類データベース１１１と製品データベース１３１を使って、ユーザが指定した組品図面を作成するのに使用するアセンブリデータを選定する（ステップＳ４０５）。
【００３２】
図７にステップＳ４０５の詳細なフローチャートを示す。
図面種類選択手段１２２によって指定された図面種類の対象部品リストを図面種類データベース１１１から入手する（ステップＳ４０５１）。
そこに記載されている各部品の親アセンブリを製品データベース１３１から入手する（ステップＳ４０５２）。
【００３３】
更に、その各親アセンブリのレベルを製品データベース１３１から入手する（ステップＳ４０５３）。
ここで入手したレベルの数字を比較する（ステップＳ４０５４）。
すべてが同じレベルでない場合は、一番小さいものをｎとする（ステップＳ４０５５）。
ｎより大きいものの親アセンブリを製品データベース１３１からたどっていき、レベルがｎのものを入手する（ステップＳ４０５６）。
【００３４】
ステップＳ４０５４においてレベルがすべて同じである場合は、ステップＳ４０５７へ進み、入手したアセンブリがすべて同一かどうか確認する（ステップＳ４０５７）。
同一でない場合は、更にそれぞれの親アセンブリを製品データベース１３１から入手する（ステップＳ４０５８）。
再度アセンブリがすべて同一かどうか確認する（ステップＳ４０５７）。同一になれば、それが使用するアセンブリである。
【００３５】
図２と図４に示すデータベースの例において、ユーザがそれぞれ図面種類ドアコンパネ組品図面（２０１）と機種ｒｅ１（３００）を指定したものとして、図７のフローチャートを用いて更に具体的に説明する。「ドアコンパネ組品図面」の対象部品リストは図面情報データベース１１１のデータ２０１より「ｄｏｏｒ，ｈａｎｄｌｅ，ｃｏｎｐｎｌ」である（ステップＳ４０５１）。
【００３６】
機種ｒｅ１の図面を作成するので、部品ｄｏｏｒ＿ｒｅ１と部品ｈａｎｄｌｅ＿ｒｅ１と部品ｃｏｎｐｎｌ＿ｒｅ１が図面の対象部品である。これらの部品の親アセンブリは、製品データベース１３１のデータ３０４、３０６、３０２よりそれぞれアセンブリｄｏｏｒ＿ｒｅ１とアセンブリｈａｎｄｌｅ＿ｒｅ１とアセンブリｃｏｎｐｎｌ＿ｒｅ１である（ステップＳ４０５２）。
これらのアセンブリのレベルは、製品データベース１３１のデータ３０３、３０５、３０１よりそれぞれ１と２と１である（ステップＳ４０５３）。
【００３７】
すべてのレベルが同じでないので、一番小さいレベルの番号を確認すると１である（ステップＳ４０５４、Ｓ４０５５）。
レベルが１より大きいアセンブリｈａｎｄｌｅ＿ｒｅ１の親アセンブリは、製品データベース１３１のデータ３０５よりアセンブリｄｏｏｒ＿ｒｅ１で、そのレベルは製品データベース１３１のデータ３０３より１である（ステップＳ４０５６）。
【００３８】
レベルがすべて１になった３つのアセンブリは、アセンブリｄｏｏｒ＿ｒｅ１とアセンブリｄｏｏｒ＿ｒｅ１とアセンブリｃｏｎｐｎｌ＿ｒｅ１であり、すべてが同じでアセンブリではない（ステップＳ４０５７）。
【００３９】
従って、さらにそれぞれの親アセンブリを入手すると、製品データベース１３１のデータ３０３、３０１よりすべてアセンブリｒｅ１である（ステップＳ４０５８）。これですべてが同一のアセンブリになったため、このアセンブリｒｅ１のアセンブリデータが「ドアコンパネ組品図面」を作成するのに使用するアセンブリデータとなる。
【００４０】
実際、図５の３次元製品データ１３２で部品ｄｏｏｒ＿ｒｅ１（４０３）と部品ｈａｎｄｌｅ＿ｒｅ１（４０４）と部品ｃｏｎｐｎｌ＿ｒｅ１（４０２）の３部品共を含むアセンブリを確認してみると、全体アセンブリｒｅ１（４０１）である。
図６において、アセンブリ作成手段１４１は、ステップＳ４０５で選定したアセンブリに対応する３次元製品データ１３２を３次元ＣＡＤシステムに読込む（ステップＳ４０６）。
【００４１】
図面種類選択手段１２２によって選択された図面種類の対象部品リストにより図面対象部品以外のものを表示上消去する設定を行う（ステップＳ４０７）。
組品図面作成手段１４２は、アセンブリ作成手段１４１が作成した図面対象部品のみが表示状態となったアセンブリに対して、図面種類選択手段１２２により指定された図面種類の図面テンプレート１１２にしたがって、図面を作成する（ステップＳ４０８）。
【００４２】
図８に具体的な例として、機種ｒｅ１のドアコンパネ組品図面を作成する手順を示す。ユーザが図面種類「ドアコンパネ組品図面」と機種「ｒｅ１」を指定した場合に使用するアセンブリは前述の例からｒｅ１であるので、アセンブリ作成手段１４１はアセンブリｒｅ１を３次元ＣＡＤシステムに読み込み（５０１）、対象部品であるｄｏｏｒ＿ｒｅ１とｈａｎｄｌｅ＿ｒｅ１とｃｏｎｐｎｌ＿ｒｅ１以外の部品を表示上消去する設定を行う（５０２）。そして、組品図面作成手段１４２がドアコンパネ組品図面の図面テンプレートｄｏｏｒ＿ｃｏｎｐｎｌ（５０３）にしたがって、このアセンブリの図面の作成を行う（５０４）。ユーザは自動で作成された図面に、必要に応じて外形寸法や組立後の重要寸法、図番、記事等を付記する（５０５）。
【００４３】
以上説明した組品図面作成装置１００は、コンピュータに上記図面作成処理を機能させるためのプログラムで実現される。このプログラムはコンピュータで読み取り可能な記録媒体に格納されている。この発明では、この記録媒体として、マイクロコンピュータで処理が行われるために必要な図示していないメモリ、例えばＲＯＭのようなものそのものがプログラムメディアであってもよいし、また図示していないが外部記憶装置としてプログラム読み取り装置が設けられ、そこに記録媒体を挿入することで読み取り可能なプログラムメディアであってもよい。
【００４４】
いずれの場合においても、格納されているプログラムはマイクロプロセッサがアクセスして実行させる構成であってもよいし、あるいはいずれの場合もプログラムを読み出し、読み出されたプログラムは、マイクロコンピュータの図示されていないプログラム記憶エリアにダウンロードされて、そのプログラムが実行される方式であってもよい。このダウンロード用のプログラムは予め本体装置に格納されているものとする。
【００４５】
ここで上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００４６】
【発明の効果】
この発明によれば、ユーザが機種と図面種類を指定するだけで組品図面作成に必要なアセンブリが作成されるため、短時間で自動的に組品図面が作成できる。
【図面の簡単な説明】
【図１】この発明の組品図面作成装置の構成図である。
【図２】この発明の図面種類データベースの説明図である。
【図３】この発明の図面テンプレートの説明図である。
【図４】この発明の製品データベースの説明図である。
【図５】この発明の３次元製品データの説明図である。
【図６】この発明の処理工程を示すフローチャートである。
【図７】この発明のアセンブリ選定処理の詳細フローチャートである。
【図８】この発明の組品図面作成手順の具体例を示す説明図である。
【図９】この発明の製品組品を構成する組品と部品の分解斜視図である。
【図１０】この発明の図面種類表示画面の例を示す説明図である。
【図１１】この発明の機種表示画面の例を示す説明図である。
【符号の説明】
１００  組品図面作成装置
１１０  図面種類記憶部
１１１  図面種類データベース
１１２  図面テンプレート
１２０  図面作成条件入力部
１２１  図面種類表示手段
１２２  図面種類選択手段
１２３  機種表示手段
１２４  機種選択手段
１３０  製品データ記憶部
１３１  製品データベース
１３２  ３次元製品データ
１４０    図面自動作成部
１４１    アセンブリ作成手段
１４２    組品図面作成手段
【図１】
2004355252.tif 000003
【図２】
2004355252.tif 000004
【図３】
2004355252.tif 000005
【図４】
2004355252.tif 000006
【図５】
2004355252.tif 000007
【図６】
2004355252.tif 000008
【図７】
2004355252.tif 000009
【図８】
2004355252.tif 000010
【図９】
2004355252.tif 000011
【図１０】
2004355252.tif 000012
【図１１】
2004355252.tif 000013